(57)【要約】      （修正有）【課題】平板に関するものであって、平板から何らかのメッセージを発信することや、感情を誘起させることが出来る平板を提供する。【解決手段】平板１の外周部２、及び平板の開口の内周部のうち、少なくとも一方が国、都道府県、および市町村の行政区画領域と相似な形状を、あるいは行政区画領域の南北軸と東西軸の比率が異なる形状を持つと共に、国、都道府県、および市町村と関連のある画像あるいは関連付けたい画像を少なくとも１つ表面に含むことを特徴とする。【選択図】図１
0003196161.tif 000002
【実用新案登録請求の範囲】
【請求項１】
平板の外周部、及び平板の開口の内周部のうち、少なくとも一方が国、都道府県、および市町村の行政区画領域と相似な形状を持つとともに、前記、国、都道府県、および市町村と関連のある画像あるいは関連付けたい画像を少なくとも１つ表面に含むことを特徴とする平板。
【請求項２】
平板の外周部、国、都道府県、および市町村の行政区画領域の南北軸と東西軸の比率が異なる形状を持つとともに前記、国、都道府県、および市町村と関連のある画像あるいは関連付けたい画像を少なくとも１つ表面に含むことを特徴とする平板。
【考案の詳細な説明】
【技術分野】
【０００１】  本考案は平板に関するものであって、前記、平板の形状およびそれに付帯する画像に関するものである。
【背景技術】
【０００２】  従来の平板は本来の機能だけが達成するようになされており、その平板から何らかのメセージを発信することや、感情を誘起させることが出来ないという欠点があった。【０００３】  平板は物を作り上げる時の基本要素の１つであり、色々な材料、大きさ、厚みの物が作られている。これらの平板の中には特に加工を施さなくてもそのままの形状で機能を発揮することが出来るものも多い。例えば、まな板は適当な幅と厚みの木材の平板を矩形上に切断したものであれば、その機能は十分に発揮できている。また食物や果物の盛り付けプレートやチーズなどのカティングボードなども矩形形状の単体だけで機能を発揮できている。しかし、このような従来の単純なまな板（平板）では何らかのメッセージを発信することや、感情を誘起させることが出来ないという欠点があった。
【先行技術文献】
【特許文献】
【特許文献】  特開２０１１−０８７８８５
【０００４】
【考案の概要】
【考案が解決しようとする課題】
【０００５】本考案は、以上のような従来の欠点に鑑みなされたもので、単なる平板でなくその平板から何らかのメッセージを受け取りあるいは感情を誘起させる平板であって、平板の価値を単体の時に比べて大きく高めた平板を提供することを目的としている。
【課題を解決するための手段】
【０００６】上記目的を達成するために、本考案は平板の外周部、及び平板の開口の内周部のうち、少なくとも一方を国、都道府県、および市町村の行政区画領域と相似な形状、あるいは行政区画領域の南北軸と東西軸の比率が異なる形状に加工し、さらに前記、国、都道府県、および市町村を印象付ける画像あるいは関連付けたい画像を少なくとも１つ表面に含ませる構成をなしている。【０００７】人は自分の生まれた土地や旅行先で訪れたなどに土地に愛情など、特別な感情を抱いており、土地との関係において特別な思いを想起することが多い。本考案はこの点に着目し、平板の外周部、及び平板の開口の内周部のうち、少なくとも一方を国、都道府県、および市町村の行政区画領域と相似な形状、あるいは行政区画領域の南北軸と東西軸の比率が異なる形状に加工し、前記、国、都道府県、および市町村と関連のある画像あるいは関連付けたい画像を少なくとも１つ、表面に付帯せしめることによって、前記課題を解決した考案である。前記の行政区画領域とは、行政区画の外形を意味し、例えば、国境、県境、市境の他、町境、村境など、行政区画の外形を想起させるものであればこれに含まれる。また、前記の平板は必ずしも材料が木材である、所謂、板材を意味するだけでなく、各種素材の表面・裏面がほぼ平面である素材を意味するものである。【０００８】さらに、材料の形状によっては、外周部、及び平板の開口の内周部のうち、少なくとも一方を相似形に加工することが、無駄が多い場合がある、そのような場合には外周部を国、都道府県、および市町村の行政区画領域の南北軸と東西軸の比率が異なる形状に加工し、前記、国、都道府県、および市町村を印象付けたい画像、あるいは関連付けたい画像を少なくとも１つ、表面に含ませることによって、平板の付加価値を高めることが出来る。【０００９】また、本来、要求される機能によっては行政区画領域の南北軸と東西軸の比率が異なる形状の外形に加工した方が有効な場合もある。比率を大きく変えなければ、その外形から国、都道府県、および市町村を想起することは容易である。
【考案の効果】
【００１０】以上の説明から明らかなように、本考案にあっては次に列挙する効果が得られる。
（１）本考案は、平板の外周部、及び平板の開口の内周部のうち、少なくとも一方を、国、都道府県、および市町村の行政区画領域と相似な形状に加工し、さらに前記、国、都道府県、および市町村を印象付ける画像あるいは関連付けたい画像を少なくとも１つ表面に含ませる構成をなしているので、平板の持つ単純な機能だけでなく、平板から何らかの情報を発信したり、受け取ったりすることが可能となった。【００１１】（２）平板の外周部、及び平板の開口の内周部のうち、少なくとも一方が国、都道府県、および市町村の行政区画領域の南北軸と東西の軸の比率が異なる形状の外形、又は開口を持つとともに前記、国、都道府県、および市町村と関連のある画像あるいは関連付けたい画像を少なくとも１つ表面に含ませる構成をなしているので、平板の持つ単純な機能だけでなく、平板から何らかの情報を発信したり、受け取ったりすることが可能となった。【００１２】（３）本考案は外周部、及び平板の開口の内周部のうち、少なくとも一方に含まれる土地の情報と関連ある画像情報の２つの情報を組合せることによって、２種の情報の相乗効果によって、行政区画領域を強調したり、逆に事物を強調したりして、平板の持つ基本機能以上に平板の付加価値を高めたものである。【００１３】（４）本考案は開口を持つ平板の内周部と外周部を共に国、都道府県、および市町村の行政区画領域と相似な形状、あるいは南北軸と東西の軸の比率が異なる形状の外形に加工し、さらに前記、国、都道府県、および市町村を印象付ける画像あるいは関連付けたい画像を少なくとも１つ表面に含ませることも可能である。平板の開口の内周部と外周部使用する行政区画領域は同じである必要はない。【００１４】（５）本考案の活用分野が非常に広い
【図面の簡単な説明】
【００１５】
【図１】本考案の１実施例であって、外周部が行政区画領域と相似な形状を持つ木製の平板のまな板を示した平面図である。
【図２】本考案の１実施例であって、外周部が行政区画領域の南北軸と東西の軸の比率が異なる形状の外形をもつ木製の平板のコースターを示した平面図である。
【図３】本考案の１実施例であって、外周部が行政区画領域と相似な形状を持つ平板の写真立てを示した正面図である。
【図４】本考案の１実施例であって、平板の開口の内周部が行政区画領域と相似な形状を持つ平板の写真立てを示した正面図である。
【考案を実施するための形態】
【００１６】以下、本考案の実施の形態を図に基づいて説明する。
【実施例１】
【００１７】  図１は木材を使った本考案の外周部が行政区画領域と相似な形状を持つ木製の平板のまな板を示した平面図である。市町村として東京都の八王子市を例としたものである。画像として八王子市の花である山百合の花、市の樹として銀杏の樹の葉が描かれている。さらに八王子にあるよく知られた山、高尾山と陣馬山の位置が三角形の印で描かれている。まな板として使用するために、画像はバーニング法によって描かれている。図は実物の３分の１で示されている。
【実施例２】
【００１８】図２は木材の端材を用いた実施例で、外周部が行政区画領域の南北軸と東西の軸の比率が異なる形状の外形をもつ平板のコースターを示した平面図である。例として市町村は同じく八王子であり、市の花である山百合の花が描かれている。端材を有効に利用するために外周部は南北軸と東西の軸の比率が異なる（図では１００対７０）。
【実施例３】
【００１９】図３は外周部が行政区画領域と相似な形状を持つ平板の写真立てを示した正面図である。使用した行政区画領域は山梨県である。県の鳥である鶯が描かれている。写真立てでは平板には何らかの支持体が必要、さらに支持体を支える基盤が場合によっては必要である。
【実施例４】
【００２０】図４は平板の開口の内周部が行政区画領域と相似な形状を持つ平板の写真立てを示した正面図である。例とした都道府県は山梨県である。県の鳥である鶯が描かれている。一般に写真立てでは平板には何らかの支持体、さらに支持体を支える基盤が場合によって必要となる。
【産業上の利用可能性】
【００２１】本考案は各種の使用目的に応じた各種の材料（木材、金属材料、プラスチック材料、紙、布、食品等）大きさ、厚みなどが異なる平板あるいは平板に近い形状を持つ物に対して広く応用可能である。本考案は実施例１〜実施例４で説明した、まな板やコースター、写真立てばかりでなく、幅広い利用が可能である。例えば、道路標識などの標識類、表札、看板、名刺、エンブレム、ワッペン、キーホルダーやストラップ等の飾り、イヤリングやピアスなどの飾り、ネクタイピン、ペンダント、ピンバッチ、ネクタイピン、帯留め、マグネット類、玄関マット等のマット類、絨毯、シール、付箋、栞、ポストイット、等の紙製品、スタンプ、ウエルカムボード、カティングボード、メッセージボード、ジグソーパズル、和洋食器、特に皿類、キッズプレート、岩塩プレート、等に利用可能である。また、食品関係においても。ケーキ、チョコレート、ビスケット、煎餅、最中、おにぎりの型、粘土細工の型、等にも広く利用である。極めて応用性の広い考案である。
その土地の特産物、その土地で行われるイベント、名所・旧跡、などを画像に託すことが出きる。
【符号の説明】
【００２２】    １：平板、まな板、本実施例では木材を使用。
２：外周部（行政区画領域と相似な形状、あるいは行政区画領域の南北軸と東西軸の        比率が異なる形状を持つ）
３：国、都道府県、および市町村を印象付ける画像あるいは関連付けたい画像Ａ
４：国、都道府県、および市町村を印象付ける画像あるいは関連付けたい画像Ｂ
５：開口部。ガラスなどがはめ込まれている。
６：平板の支持体
７：支持体を支える基盤
８：開口の内周部（行政区画領域と相似な形状、あるいは行政区画領域の南北軸と東        西軸の比率が異なる形状を持つ）
【図１】
0003196161.tif 000003
【図２】
0003196161.tif 000004
【図３】
0003196161.tif 000005
【図４】
0003196161.tif 000006